(57)【要約】【課題】電子機器及び映像再生方法を提供する。【解決手段】実施形態の電子機器は、記憶部と、出力部と、制御部と、を具備する。前記記憶部は、録画コンテンツを記憶する。前記出力部は、複数の前記録画コンテンツに対応した複数のタイトルをリスト表示するリスト表示用信号として出力する。前記制御部は、前記リスト表示用信号に基づいて表示する複数の前記タイトルの中から任意のタイトルが選択された場合に、前記タイトルに対応した録画コンテンツを、前記タイトルに対応した録画コンテンツの時間長よりも短い時間内でループ再生し、前記リスト表示の表示領域と関連する所定の位置に前記映像を表示させるよう、前記リスト表示用信号を出力する。【選択図】図４
2018067898.tif 000002
【特許請求の範囲】
【請求項１】
録画コンテンツを記憶する記憶部と、
複数の前記録画コンテンツに対応した複数のタイトルをリスト表示するリスト表示用信号として出力する出力部と、
前記リスト表示用信号に基づいて表示する複数の前記タイトルの中から任意のタイトルが選択された場合に、前記タイトルに対応した録画コンテンツを、前記タイトルに対応した録画コンテンツの時間長よりも短い時間内でループ再生し、前記リスト表示の表示領域と関連する所定の位置に前記映像を表示させるよう、前記リスト表示用信号を出力する制御部と、
を具備する電子機器。
【請求項２】
前記制御部は、前記リスト表示する各タイトルと関連付けて、所定の再生コースの名前を付加して表示させる、請求項１記載の電子機器。
【請求項３】
前記記憶部は、前記録画コンテンツの第１のカテゴリ部分と前記第１のカテゴリと異なる第２のカテゴリとを管理するための前記録画コンテンツの制御データを、前記制御部による前記ループ再生時に、前記制御部が再生するカテゴリ部分に応じて読み出し可能に保持する、請求項１記載の電子機器。
【請求項４】
前記タイトルに対応した録画コンテンツの時間長よりも短い時間は、前記ループ再生される映像データの先頭のチャプタ又はチャプタの途中の何れか一方から計測されている、請求項１記載の電子機器。
【請求項５】
前記リスト表示用信号に対応する画像を表示する表示部をさらに具備する請求項１、２、３、４のいずれかの電子機器。
【請求項６】
録画コンテンツを記憶し、
複数の前記録画コンテンツに対応した複数のタイトルをリスト表示するリスト表示用信号として出力し、
前記リスト表示用信号に基づいて表示する複数の前記タイトルの中から任意のタイトルが選択された場合に、前記タイトルに対応した録画コンテンツを、前記タイトルに対応した録画コンテンツの時間長よりも短い時間内でループ再生し、前記リスト表示の表示領域と関連する所定の位置に前記映像を表示させるよう、前記リスト表示用信号を出力する
映像再生方法。
【発明の詳細な説明】
【技術分野】
【０００１】
この発明は、電子機器及び映像再生方法に関する。
【背景技術】
【０００２】
記憶したコンテンツ（番組）の再生（視聴）を促すため、記憶したコンテンツを任意の位置（時間）で分割し、分割した単位ごとにサムネイル動画を作成して選択入力が可能にリスト表示する記憶再生機器がある。
【先行技術文献】
【特許文献】
【０００３】
【特許文献１】特開２０１３−５１６４５号公報
【特許文献２】特開２００６−８６６１２号公報
【発明の概要】
【発明が解決しようとする課題】
【０００４】
上述した記憶再生機器においては、サムネイル動画を再生することで、記憶したコンテンツの概要を、ユーザに把握させる効果が期待できる。
【０００５】
しかしながら、ユーザが、記憶したコンテンツを画面全体で視聴することなくサムネイル動画の視聴にとどまる場合が報告されている。
【０００６】
この発明の目的は、記憶したコンテンツに対するユーザの視聴意欲を向上する電子機器及び映像再生方法を提供することである。
【課題を解決するための手段】
【０００７】
実施形態の電子機器は、記憶部と、出力部と、制御部と、を具備する。前記記憶部は、録画コンテンツを記憶する。前記出力部は、複数の前記録画コンテンツに対応した複数のタイトルをリスト表示するリスト表示用信号として出力する。前記制御部は、前記リスト表示用信号に基づいて表示する複数の前記タイトルの中から任意のタイトルが選択された場合に、前記タイトルに対応した録画コンテンツを、前記タイトルに対応した録画コンテンツの時間長よりも短い時間内でループ再生し、前記リスト表示の表示領域と関連する所定の位置に前記映像を表示させるよう、前記リスト表示用信号を出力する。
【図面の簡単な説明】
【０００８】
【図１】実施形態の電子機器の一例を示す概略図。
【図２】実施形態の電子機器が出力する表示信号を表示した表示例の一例を示す概略図。
【図３】実施形態の電子機器の主要部の一例を示す概略図。
【図４】実施形態の電子機器が保持する記録データと再生画像の関係を示す概略図。
【図５】実施形態の電子機器における記録方法の一例をソフトウェア的に示す概略図。
【図６】実施形態の電子機器における再生方法の一例をソフトウェア的に示す概略図。
【図７】実施形態の電子機器における再生方法の一例をソフトウェア的に示す概略図。
【図８】実施形態の電子機器における再生方法の一例をソフトウェア的に示す概略図。
【発明を実施するための形態】
【０００９】
以下、図面を参照して、実施の一形態について説明する。
【００１０】
図１は、実施形態を適用する電子機器、例えばレコーダのシステムを構成するブロック図である。
【００１１】
図１において、レコーダ１は、チューナ部１０、例えばＳｏＣ（System on Chip）である主制御部１１、ＲＯＭ（Read Only Memory）部１２、ＲＡＭ（Randam Access Memory）部１３、例えばＨＤＤ（Hard Disk Drive）あるいは半導体メモリ（ＳＳＤ：Solid State Drive）である記憶部１４、Ｉ／Ｏ  ＩＦ（入出力インタフェース）部１５、信号処理部１６、フレームメモリ部１７および表示部１８、等を備える。これらの各部は、バス１９で接続される。なお、主制御部１１は、ＳｏＣ部と記載する場合もある。
【００１２】
チューナ部１０は、図示しないアンテナが受信したＴＶ（テレビジョン）放送信号から所定のチャンネルのコンテンツ及びコンテンツ情報を取り出し、ＳｏＣ（主制御）部１１へ供給する。なお、コンテンツは、番組と称することもある。また、コンテンツ情報は、コンテンツと一体的に送信される（放送信号においてコンテンツに付属している）ものとする。なお、コンテンツという記載について、記憶部１４が保持するコンテンツを録画コンテンツと示し、放送信号から取り出したコンテンツ及び記憶部１４から読み出したコンテンツを番組コンテンツと称することもある。
【００１３】
ＳｏＣ部１１は、チューナ部１０が取り出した所定のチャンネルの番組コンテンツのコンテンツ情報を分析し、番組コンテンツの「本編（第１のカテゴリ）」及び「本編以外（第２のカテゴリ）」を判別して、チャプタ情報を生成する。ＳｏＣ部１１はまた、番組コンテンツの記録時は、番組コンテンツのエンコード処理を行い、録画コンテンツとして、記憶部１４へ記録する。ＳｏＣ部１１はまた、番組コンテンツの再生時は、記憶部１４から読み出した録画コンテンツのデコード処理を行う。
【００１４】
ＳｏＣ部１１は、ＲＯＭ部１２が保持する制御プログラムをＲＡＭ部１３に展開して実行する。ＲＯＭ部１２は、ＳｏＣ部１１が各部を制御するＯＳや制御プログラムを保持する。
【００１５】
記憶部１４は、コンテンツ情報と番組コンテンツ、すなわちＳｏＣ部１１が放送信号から取り出した映像データ、オーディオデータ及び制御情報を保持する。すなわち、記憶部１４は、入力された番組コンテンツ及びコンテンツ情報を、録画コンテンツとして記憶する。記憶部１４はまた、再生が指示された録画コンテンツをＳｏＣ部１１が読み出し可能に保持する。なお、記憶部１４に加え、以下に説明するＩ／Ｏ  ＩＦ１５を経由して、外部記憶部が接続されてもよい。この場合、録画コンテンツは、外部記憶部が保持し、コンテンツ情報を記憶部１４が保持してもよい。もちろん、コンテンツ情報も、外部記憶部が保持してもよい。
【００１６】
Ｉ／Ｏ  ＩＦ部１５は、例えばＵＳＢ（Universal Serial Bus）、ＬＡＮ（Local Area Network）、High-definition Digital Media Interface（ＨＤＭＩ（登録商標））、リモコン受信部、等の各種インタフェースを備え、制御信号、映像データ、音声データ、等の入出力制御を行う。
【００１７】
信号処理部１６は、コンテンツに対する画質調整、例えばホワイトバランス調整、コントラスト調整等の信号処理を行う。
【００１８】
フレームメモリ部１７は、再生するコンテンツをフレーム単位で展開するためのメモリであり、録画リスト画面の表示、字幕やグラフィックの重畳（ＯＳＤ：On Screen Display）表示のための展開時にも利用される。フレームメモリ部１７において、フレーム毎の映像情報は、図示しない表示処理部（映像処理部と称する場合もある）にて表示部１８が表示可能なフォーマットに変換され、表示部１８に供給される。
【００１９】
表示部１８は、例えばＬＣＤパネルであるフロントパネル等とＦＬ管やＬＥＤ表示による照明とにより、現在の動作モードの情報や再生中、あるいは録画中のコンテンツのコンテンツ情報やコンテンツ全編、サムネイル動画、等を表示する。
【００２０】
図２は、実施形態のレコーダにおいて、録画リストにおけるサムネイル動画のループ再生を行う録画リスト画面の表示の一例を示す。
【００２１】
録画リスト画面２は、例えばリストタブ切替領域２０、タイトル表示領域２１、サムネイル動画表示領域２２、再生コース切替領域２３、再生コース表示領域２４、等を、表示部１８内の所定の位置に表示する。なお、それぞれの表示領域の大きさや位置は図２が示す限りではなく、任意に変更可能である。また、それぞれの表示領域の１つ以上を含む画面表示内容であれば、１または任意数の表示領域が省略されるものであってもよい。
【００２２】
リストタブ切替領域２０は、録画コンテンツを分類した切替タブとなっており、タブの種類は、例えば「すべて」、「未分類」や「ジャンル」、等である。タブとしては、ユーザ設定可能な「フォルダ１」、等のタブを作成することもできる。
【００２３】
タイトル表示領域２１は、録画コンテンツのタイトル名および録画日時を表示する。
【００２４】
サムネイル動画表示領域２２は、リモコン、等によるユーザの選択指示（操作入力）に基づいて選択され、ハイライト表示もしくは表示色の反転、等により選択中であることが表示されている録画コンテンツのサムネイル動画を表示する。
【００２５】
再生コース切替領域２３は、録画コンテンツ毎に設定されている録画コンテンツの夫々の再生コースを明示する。なお、新規に録画された録画コンテンツについてはレコーダ１の初期設定メニューにて、デフォルトでどの再生コースにするかを１つの再生コースを設定するようにしてもよいし、また、録画コンテンツのジャンル（ドラマ、ニュース、スポーツ等）に応じて、デフォルトでどの再生コースにするかを設定するようにしてもよい。また、録画予約時や録画時にどの再生コースにするかを設定するようにしてもよい。選択中であることが表示されている録画コンテンツの再生コースは、図示しないリモコンの、「左矢印」キー、「右矢印」キー、等で切替えることができる。再生コースは、再生コース表示領域２４に記載されている通り、例えば「通常再生」、「らく見」、「らく早見」、「飛ばし見」に分類される。「通常再生」は、例えば第１の再生モードと称する場合もある。「らく見」は、例えば第２の再生モードと称する場合もある。「らく早見」、「飛ばし見」は、それぞれ、例えば第３の再生モード、第４の再生モードと称される場合もある。
【００２６】
「通常再生」は、録画コンテンツの先頭から末尾（終端）までの録画コンテンツ全てを再生するコースである。「らく見」は、以下に説明する第１の記録モード、例えば「おまかせプレイ設定」を有効にして記録された録画コンテンツについて、「本編」と「本編以外」とにチャプタを分割し、「本編」チャプタ（又はその逆で「本編以外」）のみを再生するコースである。「らく早見」は、「らく見」コースをｎ（ｎは正の数）倍速（例えば１．３倍速）で再生するコースである。「飛ばし見」は、「らく見」コースを分割数ｍ（ｍは正の整数）に分割し、分割したそれぞれの区間を一定時間再生するコースである。分割数ｍ（スキップ数）が２０であるならば、１／２０スキップ（例えば６０分のコンテンツを２０に分割し、分割されたそれぞれの例えば先頭の部分を１分間再生して次の分割領域へとスキップ）を繰り返す。これにより、６０分の番組コンテンツを２０分のダイジェストにまとめることができる。なお、スキップ間隔（分割数ｍ）、再生時間は上述したものに限らず、例えば分割数を２０、再生時間を１５秒とした場合は、６０分の番組コンテンツを５分で飛ばし見ができる。
【００２７】
再生コース表示領域２４は、現在選択中の録画コンテンツの再生コースをハイライト表示、あるいは表示色反転、もしくは非選択コースのグレーダウン等により、選択されたコースをユーザが視覚的に一瞥可能に、表示する。
【００２８】
録画リスト画面２は、タイトル表示領域２１が表示する録画コンテンツの再生を、ユーザの選択指示（操作入力）により選択可能なリストである。なお、録画リスト画面２においてタイトル表示領域２１と再生コース切り替え領域２３が表示している選択中の録画コンテンツが、「おまかせプレイ設定（マジックチャプター）」を有効にされ、チャプタ分割されて録画されているならば、選択中の現在の再生コースに関係無く、サムネイル動画表示領域２２に表示されるサムネイル動画について、「本編」先頭から１分間のループ再生を行う。
【００２９】
これにより、タイトル表示領域２１内に示される録画コンテンツの中から、再生を開始する前に選択されている録画コンテンツの「本編」の概要を、事前にユーザに対して、知らしめる効果が期待できる。
【００３０】
図３は、実施形態のレコーダ内のＳｏＣ（制御）部と記憶部とについて、詳細に説明するための図である。
【００３１】
コンテンツ情報判定部１１０は、チューナ部１０からＳｏＣ部１１へ供給されたコンテンツ情報について、その番組コンテンツ区間が「本編」か「本編以外（例えば、番組宣伝やＣＭ等）」かを判定する。
【００３２】
チャプタ情報生成部１１１は、判定された番組コンテンツ区間の夫々が「本編」か「本編以外」かを示す情報とともに、夫々の先頭位置を示す情報を同時に生成する。
【００３３】
システム制御部１１２は、ＯＳ（Operation System）や制御プログラムに従って、レコーダ１のシステム全体を制御する。
【００３４】
ＡＶエンコーダ部１１３は、番組コンテンツを所定の圧縮方式（例えば、ＭＰＥＧ−４  ＡＶＣ等）でエンコードする。
【００３５】
コンテンツ構築部１１４は、番組コンテンツ情報及びエンコードされた番組コンテンツを所定のＡＶフォーマットへ構築し、録画コンテンツを記憶部１４へ格納する。
【００３６】
ＡＶデコーダ部１１５は、記憶部１４から取り出した録画コンテンツを番組コンテンツとして再生できるようにデコードする。ＡＶデコーダ部１１５は、フレームメモリ１７部においてフレーム毎の映像情報（番組コンテンツ）を、表示部１８が表示可能なフォーマットの表示信号に変換して表示部１８に出力する表示処理部（映像出力部）の機能を備えるものであってもよい。
【００３７】
記憶部１４は、バス１９を介して、ＳｏＣ部１１から書き込みが指示され、コンテンツ構築部１１４（ＳｏＣ部１１）が生成した録画コンテンツデータをコンテンツ記録部１４０の所定の記憶領域に保持する。チャプタ情報記録部１４１は、チャプタ情報生成部１１１（ＳｏＣ部１１）で生成された、例えば「本編」と「本編以外」のそれぞれのチャプタの情報を記録する。また、記憶部１４は、ＳｏＣ部１１からデータの読みだし要求があった場合、コンテンツ記録部１４０が保持する読みだし対象の番組コンテンツのＳｏＣ部１１への読みだし（移動（move）または複製（copy））を許可する。
【００３８】
図４（ａ）は、実施形態の第１〜第４の再生モードを実行可能に、記憶部１４に録画コンテンツを記憶する第１の記録モード、すなわち「おまかせプレイ設定（マジックチャプター）」を有効にした場合の（記憶部１４内の）録画コンテンツのチャプタイメージを示す。図４（ｂ）は、図４（ａ）が示す第１の記録モードで記録された録画コンテンツを再生する際の再生イメージを示す。
【００３９】
図４（ａ）に示すように、再生モードが「通常再生」である場合、上段にチャプタイメージを示すように、「本編」と「本編以外」とが混在した録画コンテンツそのままを再生する。再生モードが「らく見」である場合、下段にチャプタイメージを示すように、録画コンテンツの中から「本編」だけを抜き出して再生する。
【００４０】
第１の記録モード（「おまかせプレイ設定（マジックチャプター）」）を有効にして番組コンテンツを録画すると、「本編」部分４ａ２、４ａ４及び４ａ６と「本編以外」の部分４ａ１、４ａ３及び４ａ５とに録画コンテンツの区分けが行われる。また、「本編」の夫々の録画コンテンツ先頭にチャプタ管理符号Ｃ２、Ｃ４及びＣ６が付与され、「本編以外」の夫々の録画コンテンツ先頭にチャプタ管理符号Ｃ１、Ｃ３及びＣ５が付与される。「本編以外」の夫々の録画コンテンツ先頭に付与されるチャプタ管理符号Ｃ１、Ｃ３及びＣ５は、「本編」のチャプタ管理符号とは区別されて、チャプタ情報記録部１４１に格納される。
【００４１】
図４（ｂ）に示すように、再生モードが「通常再生」である場合、再生パス４ｂ１が示すように、録画コンテンツをそのまま再生する。再生モードが「らく見」である場合、再生パス４ｂ２が示すように、録画コンテンツの「本編」部分を再生し、「本編以外」の部分はスキップする。
【００４２】
チャプタ分割されている録画コンテンツの場合のチャプタイメージは、「通常再生」の再生コースが選択されている場合は、録画コンテンツの先頭から末尾（終端）までの全てを再生する。また、「らく見」の再生コースが選択されているときは、「本編」のみのチャプタ（本編１＋本編２＋本編３）を再生する。
【００４３】
なお、図２が示す録画リスト画面２において任意の再生モードによる録画コンテンツの再生が指示された場合であっても、録画コンテンツが第１の記録モードで記録されている場合は、録画リスト画面２のサムネイル動画表示領域２２が表示するサムネイル動画表示は、録画コンテンツの「本編」の先頭から所定時間、例えば１分間のループ再生を行う。録画コンテンツが第１の記録モードで記録されていない（「おまかせプレイ設定」が無効の）場合、録画リスト画面２のサムネイル動画表示領域２２が表示するサムネイル動画表示は、「通常再生」の再生コースによる再生と同様に、録画コンテンツ先頭から１分間のループ再生を行う。この場合は、仮に「おまかせプレイ設定」が有効であったときに「本編以外」となる部分が再生される可能性がある（録画コンテンツ先頭から１分間に「本編以外」が存在すると「本編以外」が再生される）。
【００４４】
なお、再生コースは、１つであってもよい（再生コースを選択することを、必ず求めるものではない）。また、「本編」と「本編以外」との区別は、任意のルールに基づいて決められる。従い、「本編」と「本編以外」とを区別した場合であっても「本編以外」が、例えばＣＭを区別しない場合もある。
【００４５】
図５は、実施形態のコンテンツ情報に基づいて、「本編」と「本編以外」のそれぞれにチャプタ情報を記録する記録方法に関するフローチャートの一例を示す。
【００４６】
記録動作（記録ステップ）の開始が指示される（Ｓ５０）と、ＳｏＣ部１１に供給されるコンテンツ情報を取得する（コンテンツ情報取得ブロック（Ｓ５１））。
【００４７】
コンテンツ情報判定部１１０が、コンテンツ情報取得ブロック（Ｓ５１）で取得したコンテンツ情報に基づい、「本編」か否かを判定する（コンテンツ情報判定ブロック（Ｓ５２））。
【００４８】
コンテンツ情報判定ブロック（Ｓ５２）の判定結果が、「はい（本編）」の場合、チャプタ情報生成部１１１が、チャプタ情報に「本編」を設定する（チャプタ情報生成ブロック（Ｓ５３））。コンテンツ情報判定ブロック（Ｓ５２）の判定結果が、「いいえ（本編以外）」の場合、チャプタ情報に「本編以外」設定する（チャプタ情報生成ブロック（Ｓ５４））。
【００４９】
以下、記録動作の継続か否かを判定するために、ブロック（Ｓ５１）同様に再度コンテンツ情報の取得を行う（コンテンツ情報取得ブロック（Ｓ５５））。
【００５０】
コンテンツ情報取得ブロック（Ｓ５５）で取得した情報を基に、コンテンツ情報が更新されたか否かを判定する（コンテンツ情報更新判定ブロック（Ｓ５６））。
【００５１】
コンテンツ情報更新判定ブロック（ブロックＳ５６）の判定結果が「はい（更新）」の場合、ブロック（Ｓ５２）に戻り、記録動作を継続する。コンテンツ情報更新判定ブロック（Ｓ５６）の判定結果が「いいえ（更新なし）」の場合、コンテンツ情報が終了か否かを判定する（コンテンツ情報終了判定ブロック（Ｓ５７））。
【００５２】
コンテンツ情報終了判定ブロック（Ｓ５７）の判定結果が「いいえ（終了しない）」の場合、ブロック（Ｓ５５）に戻り記録動作を継続する。コンテンツ情報終了判定ブロック（Ｓ５７）の判定結果が「はい（終了）」の場合、「本編」と「本編以外」のそれぞれにチャプタ情報を記録する記録動作を終了する（Ｓ５８）。
【００５３】
図６は、実施形態のコンテンツ情報に基づいて「本編」と「本編以外」のそれぞれに記録されたチャプタ情報を利用してコンテンツのサムネイル動画を再生する再生方法に関するフローチャートの一例を示す。
【００５４】
再生動作（再生ステップ）の開始が指示される（Ｓ６０）と、記憶部１４のチャプタ情報記録部１４１から読み出したチャプタ情報の取得を行う（チャプタ情報取得ブロック（Ｓ６１））。
【００５５】
システム制御部１１２において、チャプタ情報取得ブロックＳ６１で取得したチャプタ情報が「本編」か否かを判定する（チャプタ情報判定ブロック（Ｓ６２））。
【００５６】
チャプタ情報判定ブロックＳ６２の判定結果が「はい（本編チャプタ）」の場合、再生すべき本編チャプタ群として登録する（チャプタ群登録ブロック（Ｓ６３））。続いて、次のチャプタ情報があるか否かを確認する（チャプタ情報有無確認ブロック（Ｓ６４））。
【００５７】
チャプタ情報判定ブロックＳ６２の判定結果が「いいえ（本編以外チャプタ）」の場合、引き続いて次のチャプタ情報があるか否かを確認する（チャプタ情報有無確認ブロック（Ｓ６４））。
【００５８】
チャプタ情報有無確認ブロック（Ｓ６４）の判定結果が「はい（有り）」の場合、ブロック（Ｓ６１）に戻り、次のチャプタのチャプタ情報を取得する。
【００５９】
チャプタ情報有無確認ブロック（Ｓ６４）の判定結果が「いいえ（無し）」の場合、チャプタ群登録ブロック（Ｓ６３）で登録した本編チャプタ群の先頭から「ループ再生」によりコンテンツの再生を開始する（チャプタ群再生ブロック（Ｓ６５）)。
【００６０】
ブロック（Ｓ６５）における「ループ再生」による再生動作開始後、録画リスト画面２において、コンテンツの選択が外れたか否か（ハイライト選択の解消の有無、すなわち他の録画コンテンツがハイライト選択されたか否か）を確認する（ハイライト選択から外れ判定ブロック（Ｓ６６））。
【００６１】
ハイライト選択から外れ判定ブロック（Ｓ６６）の判定結果が「はい（選択から外れた）」の場合、再生動作を終了する（Ｓ６８）。すなわち、ブロック（Ｓ６０）へ戻り、次に選択されている（ハイライト選択中の）録画コンテンツのサムネイル動画の再生を行う。
【００６２】
ハイライト選択から外れ判定ブロック（Ｓ６６）の判定結果が「いいえ（選択継続中）」の場合、コンテンツの再生時間が所定の有限時間（例えば、１分）を超えたか否かを判定する（再生時間判定ブロック（Ｓ６７））。再生時間判定ブロック（Ｓ６７）の判定結果が「いいえ（時間内）」の場合、ハイライト選択から外れ判定ブロック（Ｓ６６）に戻り、コンテンツの選択が外れたか否かを確認する。再生時間判定ブロック（Ｓ６７）の判定結果が「はい（時間外）」の場合、ブロック（Ｓ６５）に戻り、本編チャプタ群の先頭から「ループ再生」によりコンテンツの再生を開始する（Ｓ６５）。
【００６３】
これにより、視聴者に、記憶した録画コンテンツの視聴（再生）を促すことができる。また、サムネイル動画によりコンテンツ全編を再生してしまい、画面全体（フルサイズ画面）でのコンテンツの視聴の機会を逃してしまうことを抑止できる。
【００６４】
なお、ブロック（Ｓ６７）における所定の有限時間内のコンテンツの再生時間が終了する際に、例えばフェードアウトあるいはワイプ等の特殊効果を付加することにより、サムネイル動画でループ再生されていることを視聴者に認識し易くさせることで、早めに上述の画面全体でのコンテンツの視聴の機会を高めることができる。
【００６５】
また、ブロック（Ｓ６７）における所定の有限時間内のコンテンツの再生時間の開始時に、例えばフェードインあるいはワイプ等の特殊効果を付加してサムネイル動画のループ再生を開始することを視聴者に認識させることで、上述の画面全体でのコンテンツの視聴の機会を高めることができる。なお、上述のサムネイル動画の再生開始時のフェードインと再生終了時のフェードアウトとを併用してもよいことはもちろんである。これにより、視聴者は、サムネイル動画が、コンテンツの同じ部分（例えば１分間の映像）を繰り返し再生していることを容易に判断できる効果が期待できる。
【００６６】
なお、ブロック（Ｓ６７）における所定の有限時間内のコンテンツの再生時間が終了した場合、例えば現在放送中の番組（コンテンツ）を再生してもよい。この場合、サムネイル動画をループ再生していたコンテンツに対する再生意欲（サムネイル動画により再生されていたコンテンツをもう一度再生したい、という思い）を高める効果が期待できる。
【００６７】
上記では、再生動作（再生ステップ）として本編チャプタ群として登録する例を示したが、本編チャプタ群として登録せずにその都度チャプタ情報を判定して、「本編」のみを再生することも可能である。
【００６８】
また、上記図６の説明では、「本編チャプタ群」のチャプタをサムネイル動画として再生する例を示したが、チャプタを用いずに、録画コンテンツを、その先頭から所定時間、例えば１分間の間、サムネイル動画により「ループ再生」してもよい。
【００６９】
図７は、コンテンツ情報に基づいて「本編」と「本編以外」のそれぞれに記録されたチャプタ情報を利用してコンテンツのサムネイル動画を再生する再生方法の別の実施形態のフローチャートを示す。
【００７０】
再生動作（再生ステップ）の開始が指示される（Ｓ７０）と、図６により説明したブロック（Ｓ６１）〜ブロック（Ｓ６５）の各ブロックを行う（Ｓ７１）。
【００７１】
ブロック（Ｓ７１）による再生動作開始後、録画リスト画面２において、コンテンツの選択が外れたか否か（ハイライト選択の解消の有無、すなわち他の録画コンテンツがハイライト選択されたか否か）を確認する（ハイライト選択から外れ判定ブロック（Ｓ７２））。
【００７２】
ハイライト選択から外れ判定ブロック（Ｓ７２）の判定結果が「はい（選択から外れた）」の場合、再生動作を終了する（Ｓ７５）。ブロック（Ｓ７０）へ戻り、次に選択されている（ハイライト選択中の）録画コンテンツのサムネイル再生を行う。
【００７３】
ハイライト選択から外れ判定ブロック（Ｓ７２）の判定結果が「いいえ（選択継続中）」の場合、再生時間が所定の有限時間（例えば、１分）を超えたか否かを判定する（再生時間判定ブロック（Ｓ７３））。再生時間判定ブロック（Ｓ７３）の判定結果が「いいえ（時間内）」の場合、ハイライト選択から外れ判定ブロック（Ｓ７２）に戻り、再生動作を継続する。再生時間判定ブロック（Ｓ７３）の判定結果が「はい（時間外）」の場合、本編チャプタ群の先頭から表示部１８にフルサイズ画面で「通常再生」（または「らく見」再生）を開始する（ブロック（Ｓ７４））。
【００７４】
これにより、視聴者に、記憶した録画コンテンツの視聴（再生）を促すことができる。また、サムネイル動画によりコンテンツ全編を再生してしまい、フルサイズ画面でのコンテンツの視聴の機会を逃してしまうことを抑止できる。
【００７５】
なお、ブロック（Ｓ７３）における所定の有限時間内のコンテンツの再生時間が終了する際に、例えばフェードアウト、あるいはワイプ等の特殊効果を付加することにより、サムネイル動画のループ再生が終了したことを視聴者に認識させることで、上述の画面全体でのコンテンツの視聴の機会を高めることができる。
【００７６】
また、ブロック（Ｓ７３）における所定の有限時間内のコンテンツの再生時間の開始時に、例えばフェードイン、あるいはワイプ等の特殊効果を付加してサムネイル動画のループ再生を開始することを、視聴者に認識させることで、上述の画面全体でのコンテンツの視聴の機会を高めることができる。なお、上述のサムネイル動画の再生開始時のフェードインと再生終了時のフェードアウトとを併用してもよいことはもちろんである。これにより、視聴者は、サムネイル動画が、コンテンツの同じ部分（例えば１分間の映像）を、繰り返し再生していることを容易に判断できる効果が期待できる。
【００７７】
また、ブロック（Ｓ７３）における所定の有限時間内のコンテンツの再生時間が終了した場合、例えば現在放送中の番組（コンテンツ）を再生し、サムネイル動画をループ再生していたコンテンツに対する再生意欲（サムネイル動画により再生されていたコンテンツをもう一度再生したい、という思い）を高める効果が期待できる。
【００７８】
なお、上記では、再生動作（再生ステップ）として本編チャプタ群として登録する例を示したが、本編チャプタ群として登録せずにその都度チャプタ情報を判定して、「本編」のみを再生することも可能である。
【００７９】
図８は、コンテンツ情報に基づいて「本編」と「本編以外」のそれぞれに記録されたチャプタ情報を利用してコンテンツのサムネイル動画を再生する実施形態の再生方法に関するフローチャートの一例を示す。
【００８０】
再生動作（再生ステップ）の開始が指示される（ブロックＳ８０）と、図６により説明したブロック（Ｓ６１）〜ブロック（Ｓ６５）の各ブロックを行う（Ｓ８１）。
【００８１】
ブロック（Ｓ８１）による再生開始後、録画リスト画面２においてコンテンツの選択が外れたか否か（ハイライト選択の解消の有無、すなわち他の録画コンテンツがハイライト選択されたか否か）を確認する（ハイライト選択から外れ判定ブロック（Ｓ８２））。
【００８２】
ハイライト選択から外れ判定ブロック（Ｓ８２）の判定結果が「はい（選択から外れた）」の場合、再生動作（再生ステップ）を終了する（Ｓ８７）。ブロック（Ｓ８０）へ戻り、次に選択されている（ハイライト選択中の）録画コンテンツのサムネイル再生を行う。
【００８３】
ハイライト選択から外れ判定ブロック（Ｓ８２）の判定結果が「いいえ（選択継続中）」の場合、再生時間が所定の有限時間（例えば、１分）の１０秒前か否かを判定する（カウントダウン判定ブロック（Ｓ８３））。
【００８４】
カウントダウン判定ブロック（Ｓ８３）の判定結果が「はい（１０秒前）」の場合、カウントダウン画面表示を実行して、ユーザにフルサイズ画面への切替を事前通知する（カウントダウン実行ブロック（Ｓ８４））。カウントダウン画面表示は、例えばサムネイル動画の表示全体に表示してもよいし、例えばカウントダウン中であることを示す文字列や数字を、透過率を一定以上確保した半透過状態でＯＳＤ表示してもよい。
【００８５】
カウントダウン判定ブロック（Ｓ８３）の判定結果が「いいえ（非１０秒前）」の場合、再生時間が所定の有限時間（例えば、１分）を超えたか否かを判定する（再生時間判定ブロック（Ｓ８５））。
【００８６】
再生時間判定ブロック（Ｓ８５）の判定結果が「いいえ（時間内）」の場合、ブロック（Ｓ８２）に戻り、再生動作（再生ステップ）を継続する。
【００８７】
再生時間判定ブロック（Ｓ８５）の判定結果が「はい（時間外）」の場合、本編チャプタ群の先頭から表示部１８にフルサイズ画面で「通常再生」（または「らく見」再生）を開始する（ブロック（Ｓ８６））。すなわち、例えば１０秒間のカウントダウン表示ののち、例えば１分間経過してもユーザ操作（指示入力）が無い場合、「本編」について、そのチャプタ群の先頭のチャプタから録画コンテンツを表示部１８にフルサイズ画面で再生する。
【００８８】
なお、ブロック（Ｓ８５）における所定の有限時間内のコンテンツの再生時間が終了する際に、例えばフェードアウト、あるいはワイプ等の特殊効果を付加することにより、サムネイル動画のループ再生が終了したことを視聴者に認識させることで、上述の画面全体でのコンテンツの視聴の機会を高めることができる。
【００８９】
また、ブロック（Ｓ８５）における所定の有限時間内のコンテンツの再生時間の開始時に、例えばフェードイン、あるいはワイプ等の特殊効果を付加してサムネイル動画のループ再生を開始することを、視聴者に認識させることで、上述の画面全体でのコンテンツの視聴の機会を高めることができる。なお、上述のサムネイル動画の再生開始時のフェードインと再生終了時のフェードアウトとを併用してもよいことはもちろんである。これにより、視聴者は、サムネイル動画が、コンテンツの同じ部分（例えば１分間の映像）を、繰り返し再生していることを容易に判断できる効果が期待できる。
【００９０】
また、ブロック（Ｓ８５）における所定の有限時間内のコンテンツの再生時間が終了した場合、例えば現在放送中の番組（コンテンツ）を再生し、サムネイル動画をループ再生していたコンテンツに対する再生意欲（サムネイル動画により再生されていたコンテンツをもう一度再生したい、という思い）を高める効果が期待できる。
【００９１】
上記では、再生動作（再生ステップ）として本編チャプタ群として登録する例を示したが、本編チャプタ群として登録せずにその都度チャプタ情報を判定して、「本編」のみを再生することも可能である。
【００９２】
これにより、視聴者に、記憶した録画コンテンツの視聴（再生）を促すことができる。また、サムネイル動画によりコンテンツ全編を再生してしまい、フルサイズ画面でのコンテンツの視聴の機会を逃してしまうことを抑止できる。
【００９３】
このように、実施形態においては、図４（ａ）のチャプタイメージに示すように、録画コンテンツを、「本編」のチャプタ４ａ２、４ａ４及び４ａ６と「本編以外のチャプタ」４ａ１、４ａ３及び４ａ５とに分割し、図４（ｂ）が示すように、ループ再生に際して、録画コンテンツの「本編」部分の先頭からを再生することにより、ユーザが、瞬時に録画コンテンツの概要を把握でき、その後のフルサイズ画面による同コンテンツの視聴の要求が高まることが期待できる。
【００９４】
また、自動的に最初の本編部分の番組先頭から指定された有限時間（例えば、１分間）をループ再生するため、サムネイル状態でコンテンツ全編が動画表示されることが無く、ユーザを、サムネイル動作による再生からフルサイズ画面による通常再生へと誘導でき、ユーザの視聴意欲を向上させることができる。
【００９５】
なお、実施形態は、以下のようにして実施することも可能である。
【００９６】
例えば、本編である第１映像データと前記本編と異なる第２映像データとを含む録画コンテンツと、前記録画コンテンツの制御データが入力する入力部（１９）と、
前記入力部（１９）から入力する複数の録画コンテンツに対応した複数のタイトルを表示用リストとして出力する出力部（１９）と、
前記リストの中から、任意のタイトルが選択され、所定の再生コースが指定されているとき、前記タイトルに対応した録画コンテンツの第１又は第２映像データの何れか一方の映像データを有限の時間ループ再生し、前記表示部の前記リストの表示領域の隣に前記映像を表示させるシステムオンチップ部（１１）を備えるものであってもよい。
【００９７】
その場合、前記入力部（１９）に記憶部（１４）が接続されることができる。
【００９８】
また、前記入力部（１９）が電子機器の記憶部（１４）に接続されることができる。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１…レコーダ（電子機器）、１０…チューナ部、１１…ＳｏＣ部（主制御部）、１４…記憶部、１６…信号処理部、１７…フレームメモリ部、１８…表示部。
【図１】
2018067898.tif 000003
【図２】
2018067898.tif 000004
【図３】
2018067898.tif 000005
【図４】
2018067898.tif 000006
【図５】
2018067898.tif 000007
【図６】
2018067898.tif 000008
【図７】
2018067898.tif 000009
【図８】
2018067898.tif 000010